(57)【要約】【課題】  植木鉢に植えている植物に給水する場合に、当該植木鉢の下に受け皿を敷いて置かなくても、底部からの漏水を防止できる便利な植木鉢を提供すること。【解決手段】  植物を植える植木鉢本体の下端部に中空の脚部を一体に設け、該脚部の中空部の上部に外部に開口する開口部を形成するとともに、該中空部と植木鉢の内部の底面部に連通する通孔を設けた。植木鉢本体の底面は上に凸な凸面として形成し、その周囲部分の低い位置に前記通孔を設けておくのが好ましい。【選択図】      図１
2006136225.tif 000002
【特許請求の範囲】
【請求項１】
植木鉢本体の下端部に中空の脚部を複数個設け、該脚部の中空部の上部に外部に開口する開口部を形成するとともに、該中空部と植木鉢の内部の底面部に連通する通孔を設けたことを特徴とする植木鉢。
【請求項２】
植木鉢本体の底面部に上に凸な隆起部を形成し、該隆起部の周囲の低い位置に前記脚部の中空部と連通する通孔を設けた請求項１に記載の植木鉢。
【請求項３】
脚部が３個設けられている請求項１又は２に記載の植木鉢。
【発明の詳細な説明】
【技術分野】
【０００１】
本発明は、給水した水が底部から漏出しない植木鉢に関するものである。
【背景技術】
【０００２】
従来広く使用されてきた植木鉢は、植えられている植物の根腐れを防止するため、その底部に内外に通ずる穴が穿孔されていて、給水した余分な水がその穴から外部に漏出するようになっているものが一般的である。
【発明の開示】
【発明が解決しようとする課題】
【０００３】
上記従来の植木鉢に鑑賞用の植物を植えて室内で楽しむ場合は、給水した時に底部から余分な水が漏出するため、植木鉢の下に受け皿を敷いて漏出する水を受けている。しかしながら、植木鉢と受け皿とは、初めからセットとして組み合わされているわけではないので、形状、寸法、色、模様等がバラバラであり、不安定であったり、美観上問題がある場合が多かった。また、植木鉢を移動するときに、受け皿も一緒に移動させなければならないので、取扱が煩雑であるという問題点がある。さらに、植木鉢と受け皿をセットで使用しなければならないので、水の滴下を嫌う室内等で植木鉢を吊り下げて楽しむことができなかった。
【０００４】
そこで本発明は、上記従来の問題点を解決し、受け皿をセットで使用しなくても底部からの漏水を防止できる便利な植木鉢を提供することを課題としている。
【課題を解決するための手段】
【０００５】
上記課題を解決するため、本発明は次のような構成を採用した。すなわち、請求項１に記載の本発明に係る植木鉢は、植木鉢本体の下端部に中空の脚部を設け、該脚部の中空部の上部に外部に開口する開口部を形成するとともに、該中空部と植木鉢の内部の底面部に連通する通孔を設けたことを特徴としている。
【０００６】
また、請求項２に記載の植木鉢は、上記請求項１に記載の植木鉢において、植木鉢本体の底面部に上に凸な隆起部を形成し、該隆起部の周囲の低い位置に前記脚部の中空部と連通する通孔を設けたものである。さらに、請求項３に記載の植木鉢は、上記請求項１又は２に記載の植木鉢において、脚部が３個設けられているものである。
【発明の効果】
【０００７】
請求項１に記載の本発明に係る植木鉢は、植木鉢本体の下端部に、中空の脚部が設けられ、該脚部の中空部は、その上部に外部に開口する開口部が設けられるとともに、植木鉢本体の内部底面部と通孔で連通しているので、植木鉢本体の底面部に溜った余計な水が前記通孔を通って植木鉢本体内から排出される。このため、植物の根腐れ等を防止することができる。また、植木鉢本体内から排出された水は、一体に設けられている脚部の中空部内に流入してそこで保持されるので、従来のように受け皿を使用しなくても、植木鉢だけで水が外部に漏出することが防がれる。
【０００８】
また、請求項２に記載の植木鉢は、その底面の中央部に隆起部が設けられ、その周囲の部分に前記通孔が形成されていて、底部の水は、隆起部の周囲の低い部分に移動し、そこから通孔を通って脚部の中空部内に移動するので、植木鉢内部に余分な水が滞留することを効果的に防止することができる。なお、脚部の数が多過ぎると、それを載置する面に凹凸がある場合は、不安定となりガタツキが生じやすいが、請求項３に記載のように、脚部の数が３個である場合は、載置する面が完全な平面でなくても比較的安定した状態で載置することができるという利点がある。
【発明を実施するための最良の形態】
【０００９】
以下、本発明の好ましい実施形態について具体的に説明する。図は本発明の植木鉢を例示するもので、この植木鉢１は、植木鉢本体２と脚部３とで構成される。植木鉢本体２は、上部が開口した円筒容器状であり、その底面４の中央部には隆起部５が形成されている。このため、底面４は上に凸な凸面となっている。
【００１０】
脚部３は、植木鉢本体２の下端部に一体に設けられている。脚部３は、図示例では３個が等間隔で設けられているが、これに限定されるものではなく、使用条件やデザイン等の関係で、１個、又は２個でもよく、４個以上でもよい。例えば、植木鉢本体の断面形状が楕円形の場合等には２個でもよい場合があり、四角形の場合は４個設けておくのが好ましい場合も多い。しかしながら、通常の植木鉢の場合は、脚部の数を３個とするのが最も製作が容易で安定感がある場合が多い。脚部３は中空体として形成されており、その中空部６の上部には外部に開口する開口部７が設けられている。この開口部７は、植木鉢本体２の下端部外周部から若干はみ出した状態で外部に臨むように開口している。脚部３の中空部６は、余った水を十分に溜めることができる容積としておけばよい。なお、脚部３の形状は、図示例のものに限らず、種々の形状のものとすることができる。
【００１１】
前記植木鉢本体２の底面４に形成されている隆起部５の周囲の低い部分には、複数の通孔１０が穿孔されている。これら通孔１０は、植木鉢本体２の下端部に一体に形成された脚部３の中空部６に連通している。図示例では、通孔１０は各脚部３ごとに正三角形状に３個づつ形成されていて、植木鉢本体２の底面上に美的に配置されているが、この数は、３個に限らず、１個又は２個でもよく、４個以上でもよい。この通孔１０の断面積が大き過ぎると、植木鉢内部の土等が流出するおそれがあるので、通常は直径数ｍｍ以下の比較的小径のものを複数個設けておくのが好ましい。なお、断面積の大きな通孔を設ける場合は、その上に網等を配置して使用すればよい。
【００１２】
前記脚部３の下端面３ａは、図示例では平面として形成され、肉厚部を挟んでそのすぐ上から断面積の大きい中空部を形成することができているが、脚部３の数が３個以上の場合は、脚部３の下端部を球面ないし小断面積の凸面として形成しておく方が、テーブルや棚等に載置したときにガタツキが少なく安定したものとすることができる。
【００１３】
この植木鉢１の使用に際しては、通常の植木鉢と同様に、内部に土や苔類等をいれ、好みの植物を植え付けておく。この植物には必要に応じて給水するが、この給水された水は、植木鉢内部に浸透して、植木鉢の底面上に達し、通孔１０を通って脚部３の中空部６内に流入する。このため、植木鉢の内部に余分な水が滞留せず、植物の根に悪影響を与えない。また、給水しても水が外部に漏出しないので、室内のテーブルや棚上に置いて植物を鑑賞するに適したものである。さらに、従来のように、受け皿を必要としないので、室内等で吊り下げて使用することも可能である。なお、脚部３には外部に通ずる開口部７と通孔１０が設けられているため、空気がこれらを通って植木鉢本体２の底部へ入り込むことができ、この点からも根腐れ等の防止効果を期待することができる。
【００１４】
脚部３の中空部６は、上部に外部に通じる開口部７が形成されているので、中空部６の内部に溜った水は、そこから次第に蒸発して消滅する。なお、給水間隔が短い場合や、給水量が多過ぎて、中空部６から水が溢れそうになったときは、適宜植木鉢を傾けて中空部６内の水を開口部７から外部に配置した受け器等に排出すればよい。
【００１５】
図示例の植木鉢１の底面４は、中央部が隆起した凸面状に形成されているので、底面４に達した水が隆起部に溜らず、その周囲に流れ落ちて周囲の低い部分に穿孔された通孔１０を通って植木鉢本体２から速やかに排出される。このように、植木鉢本体２の底面４を上に凸な凸面として形成しておくと、内部の水の排出を効果的に行うことができるが、場合によっては、単なる平面として形成しておいてもよい。この場合は、凸面として形成した前記実施形態におけるよりも水の排出状態が若干悪くなるが、植物の種類によっては、問題のない場合が多い。また、植木鉢本体の底面４を凹面として形成し、その最も低い位置に通孔１０を穿孔しておいてもよい。この場合は、脚部３は１個とするか、２個以上の場合は、各脚部に水を振り分けるように通孔を形成しておけばよい。
【産業上の利用可能性】
【００１６】
本発明に係る植木鉢は、窯業の分野で陶磁器で製作することが可能で、種々の植物を植えて室内等で楽しむのに適したものである。この植木鉢を金属やプラスチックで製作できることは言うまでもない。
【図面の簡単な説明】
【００１７】
【図１】本発明の植木鉢を例示する外観図である。
【図２】その一部断面図である。
【図３】その平面図である。
【図４】その下面図である。
【符号の説明】
【００１８】
１        植木鉢
２        植木鉢本体
３        脚部
４        底面
５        隆起部
６        中空部
７        開口部
１０        通孔
【図１】
2006136225.tif 000003
【図２】
2006136225.tif 000004
【図３】
2006136225.tif 000005
【図４】
2006136225.tif 000006
【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】  植木鉢本体の下端部に複数の中空脚部を一体に設け、該脚部の中空部の上部に外部に開口する開口部を形成するとともに、該中空部と植木鉢本体内部の底面部に連通する通孔を設けたことを特徴とする植木鉢。
【請求項２】  植木鉢本体の底面部に上に凸な隆起部を形成し、該隆起部の周囲の低い位置に前記脚部の中空部と連通する通孔を設けた請求項１に記載の植木鉢。
【請求項３】  脚部が３個設けられている請求項１又は２に記載の植木鉢。
【手続補正２】
【補正対象書類名】明細書
【補正対象項目名】０００５
【補正方法】変更
【補正の内容】
【０００５】  上記課題を解決するため、本発明は次のような構成を採用した。すなわち、請求項１に記載の本発明に係る植木鉢は、植木鉢本体の下端部に複数の中空脚部を一体に設け、該脚部の中空部の上部に外部に開口する開口部を形成するとともに、該中空部と植木鉢本体の内部の底面部に連通する通孔を設けたことを特徴としている。
【手続補正３】
【補正対象書類名】明細書
【補正対象項目名】０００７
【補正方法】変更
【補正の内容】
【０００７】  請求項１に記載の本発明に係る植木鉢は、植木鉢本体の下端部に、複数の中空脚部が一体に設けられ、該脚部の中空部は、その上部に外部に開口する開口部が設けられるとともに、植木鉢本体の内部底面部と通孔で連通しているので、植木鉢本体の底面部に溜った余計な水が前記通孔を通って植木鉢本体内から排出される。このため、植物の根腐れ等を防止することができる。また、植木鉢本体内から排出された水は、一体に設けられている脚部の中空部内に流入してそこで保持されるので、従来のように受け皿を使用しなくても、植木鉢だけで水が外部に漏出することが防がれる。
【手続補正４】
【補正対象書類名】明細書
【補正対象項目名】００１０
【補正方法】変更
【補正の内容】
【００１０】  脚部３は、植木鉢本体２の下端部に一体に設けられている。脚部３は、図示例では３個が等間隔で設けられているが、これに限定されるものではなく、使用条件やデザイン等の関係で、２個でもよく、４個以上でもよい。例えば、植木鉢本体の断面形状が楕円形の場合等には２個でもよい場合があり、四角形の場合は４個設けておくのが好ましい場合も多い。しかしながら、通常の植木鉢の場合は、脚部の数を３個とするのが最も製作が容易で安定感がある場合が多い。脚部３は中空体として形成されており、その中空部６の上部には外部に開口する開口部７が設けられている。この開口部７は、植木鉢本体２の下端部外周部から若干はみ出した状態で外部に臨むように開口している。脚部３の中空部６は、余った水を十分に溜めることができる容積としておけばよい。なお、脚部３の形状は、図示例のものに限らず、種々の形状のものとすることができる。
【手続補正書】
【提出日】平成17年11月3日(2005.11.3)
【手続補正１】
【補正対象書類名】明細書
【補正対象項目名】特許請求の範囲
【補正方法】変更
【補正の内容】
【特許請求の範囲】
【請求項１】  植木鉢本体の下端部に複数の中空脚部を一体に設け、該脚部自体の中空部の上部に外部に開口する開口部を形成するとともに、植木鉢本体内部の底面部から脚部の中空部に連通して植木鉢本体内から排出される水が前記中空部に流入することのできる通孔を設けたことを特徴とする植木鉢。
【請求項２】  植木鉢本体の底面部に上に凸な隆起部を形成し、該隆起部の周囲の低い位置に前記脚部の中空部と連通する通孔を設けた請求項１に記載の植木鉢。
【請求項３】  脚部が３個設けられている請求項１又は２に記載の植木鉢。
【手続補正２】
【補正対象書類名】明細書
【補正対象項目名】０００５
【補正方法】変更
【補正の内容】
【０００５】  上記課題を解決するため、本発明は次のような構成を採用した。すなわち、請求項１に記載の本発明に係る植木鉢は、植木鉢本体の下端部に複数の中空脚部を一体に設け、該脚部自体の中空部の上部に外部に開口する開口部を形成するとともに、植木鉢本体内部の底面部から脚部の中空部に連通して植木鉢本体内から排出される水が前記中空部に流入することのできる通孔を設けたことを特徴としている。